(57)【要約】【課題】どのような利用者でも簡単な操作で外出警備モードから在宅警備モードへの切替え行うことができ、誤報の発生を削減することができる警備装置を提供する。【解決手段】ＩＣタグリーダ１０１は、利用者を識別する利用者識別情報を記憶したＩＣタグ２００から非接触によって利用者識別情報を取得し、操作者判定部１０２は、ＩＣタグリーダ１０１によって取得された利用者識別情報が、在宅警備情報ＤＢ１０００に記憶されている操作者識別情報と一致するか否かを判定し、警備モード切替部１０３は、操作者判定部１０２によって利用者識別情報と操作者識別情報が一致すると判定された場合に、不在時において異常を検知した場合に監視センタに警報情報を通報する状態を示す外出警備モードから、在宅時において異常を検知した場合に警報情報の監視センタへの通報を可能にする状態を示す在宅警備モードに切替える。【選択図】        図１
2006285698.tif 000002
【特許請求の範囲】
【請求項１】
監視領域における異常を検知した場合に異常を検知した旨を示す警報情報をネットワークに接続された監視センタに送信する警備装置において、
前記警備装置を操作する操作者を識別する操作者識別情報を記憶する操作者識別情報記憶手段と、
前記操作者識別情報と、異常を検知した場合に前記監視センタに前記警報情報を通報する対象となる領域である警備対象領域を示す警備領域情報とを対応付けて記憶する警備領域記憶手段と、
利用者を識別する利用者識別情報を記憶した携帯型情報記憶媒体から前記利用者識別情報を取得する利用者識別情報取得手段と、
前記利用者識別情報取得手段によって取得された前記利用者識別情報が、前記操作者識別情報記憶手段に記憶されている前記操作者識別情報と一致するか否かを判定する操作者判定手段と、
前記操作者判定手段によって判定された前記操作者識別情報に対応する前記警備対象領域を前記警備領域記憶手段から取得し、取得された前記警備対象領域に対して前記警備対象領域において異常を検知した場合に前記監視センタに前記警報情報を通報、もしくは監視領域にいる者に異常を検知したことを通知する状態を示す警備状態を設定し、前記警備対象領域以外の領域には前記警備対象領域において異常を検知した場合に前記警報情報を通報しない、もしくは異常を検知したことの通知をしない状態を示す警備解除状態を設定する警備状態設定手段と、
を備えることを特徴とする警備装置。
【請求項２】
監視領域における異常を検知した場合に異常を検知した旨を示す警報情報をネットワークに接続された監視センタに送信する警備装置において、
前記警備装置を操作する操作者を識別する操作者識別情報を記憶する操作者識別情報記憶手段と、
利用者を識別する利用者識別情報を記憶した携帯型情報記憶媒体から前記利用者識別情報を取得する利用者識別情報取得手段と、
前記利用者識別情報取得手段によって取得された前記利用者識別情報が、前記操作者識別情報記憶手段に記憶されている前記操作者識別情報と一致するか否かを判定する操作者判定手段と、
前記操作者判定手段によって前記利用者識別情報と前記操作者識別情報が一致すると判定された場合に、不在時において異常を検知した場合に前記監視センタに前記警報情報を通報する状態を示す外出警備モードから、在宅時において異常を検知した場合に前記警報情報の前記監視センタへの通報、もしくは在宅者に異常を検知したことの通知を可能にする状態を示す在宅警備モードに切替える警備モード切替手段と、
を備えることを特徴とする警備装置。
【請求項３】
前記操作者識別情報と、前記在宅警備モードにおいて異常を検知した場合に前記監視センタに前記警報情報を通報、もしくは監視領域にいる者に異常を検知したことを通知する対象となる領域である警備対象領域を示す警備領域情報とを対応付けて記憶する警備領域記憶手段と、
前記警備モード切替手段によって前記在宅警備モードに切替えられた場合に、前記操作者判定手段によって判定された前記操作者識別情報に対応する前記警備対象領域を前記警備領域記憶手段から取得し、取得された前記警備対象領域に対して前記警備対象領域において異常を検知した場合に前記監視センタに前記警報情報を通報、もしくは監視領域にいる者に異常を検知したことを通知する状態を示す警備状態を設定し、前記警備対象領域以外の領域には前記警備対象領域において異常を検知した場合に前記警報情報を通報しない状態を示す警備解除状態を設定する警備状態設定手段と、をさらに備えることを特徴とする請求項２に記載の警備装置。
【請求項４】
前記警備状態設定手段は、さらに前記警備対象領域に前記警備状態を設定した後に、他の操作者が帰宅して前記警備対象領域に前記警備状態を設定する場合には、既に設定されている前記警備対象領域と新たに設定する前記警備対象領域において一致する前記警備対象領域のみに前記警備状態を設定し、一致しない前記警備対象領域には前記警備解除状態を設定すること、を特徴とする請求項２または請求項３に記載の警備装置。
【請求項５】
前記警備対象領域に対して前記警備状態または前記警備解除状態の入力を受付ける警備状態入力手段、をさらに備え、
前記警備状態設定手段は、さらに前記警備状態入力手段によって入力された前記警備対象領域に対する前記警備状態または前記警備解除状態の設定について、前記操作者識別情報に対応する前記警備領域記憶手段に記憶された前記警備領域情報に基づいて設定される前記警備状態または前記警備解除状態の設定より優先すること、を特徴とする請求項２〜４のいずれか一つに記載の警備装置。
【請求項６】
監視領域における異常を検知した場合に異常を検知した旨を示す警報情報をネットワークに接続された監視センタに送信する警備方法において、
前記警備装置を操作する操作者を識別する操作者識別情報を記憶する操作者識別情報記憶手段と、
前記操作者識別情報と、異常を検知した場合に前記監視センタに前記警報情報を通報する対象となる領域である警備対象領域を示す警備領域情報とを対応付けて記憶する警備領域記憶手段と、を備え、
利用者を識別する利用者識別情報を記憶した携帯型情報記憶媒体から前記利用者識別情報を取得する利用者識別情報取得ステップと、
前記識別情報取得ステップによって取得された前記利用者識別情報が、前記操作者識別情報記憶手段に記憶されている前記操作者識別情報と一致するか否かを判定する操作者判定ステップと、
前記操作者判定ステップによって判定された前記操作者識別情報に対応する前記警備対象領域を前記警備領域記憶手段から取得し、取得された前記警備対象領域に対して前記警備対象領域において異常を検知した場合に前記監視センタに前記警報情報を通報、もしくは監視領域にいる者に異常を検知したことを通知する状態を示す警備状態を設定し、前記警備対象領域以外の領域には前記警備対象領域において異常を検知した場合に前記警報情報を通報しない、もしくは異常を検知したことの通知をしない状態を示す警備解除状態を設定する警備状態設定ステップと、
を有することを特徴とする警備方法。
【請求項７】
監視領域における異常を検知した場合に異常を検知した旨を示す警報情報をネットワークに接続された監視センタに送信する警備方法において、
前記警備装置を操作する操作者を識別する操作者識別情報を記憶する操作者識別情報記憶手段、を備え、
利用者を識別する利用者識別情報を記憶した携帯型情報記憶媒体から非接触によって前記利用者識別情報を取得する利用者識別情報取得ステップと、
前記識別情報取得ステップによって取得された前記利用者識別情報が、前記識別情報記憶手段に記憶されている前記操作者識別情報と一致するか否かを判定する操作者判定ステップと、
前記操作者判定ステップによって前記利用者識別情報と前記操作者識別情報が一致すると判定された場合に、不在時に異常を検知した場合に前記監視センタに前記警報情報を通報する状態を示す外出警備モードから、在宅時に異常を検知した場合に前記警報情報を前記監視センタに通報、もしくは在宅者に異常を検知したことの通知を可能にする状態を示す在宅警備モードに切替える警備モード切替ステップと、
を有することを特徴とする警備方法。
【請求項８】
請求項６または請求項７に記載された警備方法をコンピュータに実行させることを特徴とする警備プログラム。
【発明の詳細な説明】
【技術分野】
【０００１】
本発明は、警備装置、警備方法、警備プログラムに関するものであり、特に警備装置における警備モードの設定に関するものである。
【背景技術】
【０００２】
従来、警備装置によって警備が行われている警備区域では、家人が外出する際や帰宅する際に警備装置の操作パネルを操作することによって主に家人不在時に設定する外出警備モードと、在宅者がいる状態で設定する在宅警備モードとを切替える警備装置が一般に知られている。例えば、利用者が在宅警備モードを設定した区域のみを警備状態とし、その他の区域については、警備解除状態とし、異常の有無を検知する技術である（特許文献１参照）。
【０００３】
【特許文献１】特開２０００−４８２７６号公報
【発明の開示】
【発明が解決しようとする課題】
【０００４】
しかし、かかる警備装置では、在宅警備モードを設定の際に、そのモードを設定したい区域を警備区域として、利用者が選択しなければならない。そのため、かかる警備装置の構成では、子供やお年寄りなど警備装置の操作が不慣れな者にも複雑な操作を要求することとなってしまうため、在宅時にも異常の有無を検出することのできる在宅警備モードが十分に活用されていないという問題があった。
【０００５】
また、在宅警備モードの設定が複雑な操作であるため、誤報が発生してしまうという問題があった。
【０００６】
本発明は、上記に鑑みてなされたものであって、どのような利用者でも簡単な操作で外出警備モードから在宅警備モードへの切替え行うことができ、誤報の発生を削減することができる警備装置、警備方法、警備プログラムを提供することを目的とする。
【課題を解決するための手段】
【０００７】
上述した課題を解決し、目的を達成するために、請求項１にかかる発明は、監視領域における異常を検知した場合に異常を検知した旨を示す警報情報をネットワークに接続された監視センタに送信する警備装置において、前記警備装置を操作する操作者を識別する操作者識別情報を記憶する操作者識別情報記憶手段と、前記操作者識別情報と、異常を検知した場合に前記監視センタに前記警報情報を通報する対象となる領域である警備対象領域を示す警備領域情報とを対応付けて記憶する警備領域記憶手段と、利用者を識別する利用者識別情報を記憶した携帯型情報記憶媒体から前記利用者識別情報を取得する利用者識別情報取得手段と、前記利用者識別情報取得手段によって取得された前記利用者識別情報が、前記操作者識別情報記憶手段に記憶されている前記操作者識別情報と一致するか否かを判定する操作者判定手段と、前記操作者判定手段によって判定された前記操作者識別情報に対応する前記警備対象領域を前記警備領域記憶手段から取得し、取得された前記警備対象領域に対して前記警備対象領域において異常を検知した場合に前記監視センタに前記警報情報を通報、もしくは監視領域にいる者に異常を検知したことを通知する状態を示す警備状態を設定し、前記警備対象領域以外の領域には前記警備対象領域において異常を検知した場合に前記警報情報を通報しない、もしくは異常を検知したことの通知をしない状態を示す警備解除状態を設定する警備状態設定手段と、を備えることを特徴とする。
【０００８】
また、請求項２にかかる発明は、監視領域における異常を検知した場合に異常を検知した旨を示す警報情報をネットワークに接続された監視センタに送信する警備装置において、前記警備装置を操作する操作者を識別する操作者識別情報を記憶する操作者識別情報記憶手段と、利用者を識別する利用者識別情報を記憶した携帯型情報記憶媒体から前記利用者識別情報を取得する利用者識別情報取得手段と、前記利用者識別情報取得手段によって取得された前記利用者識別情報が、前記操作者識別情報記憶手段に記憶されている前記操作者識別情報と一致するか否かを判定する操作者判定手段と、前記操作者判定手段によって前記利用者識別情報と前記操作者識別情報が一致すると判定された場合に、不在時において異常を検知した場合に前記監視センタに前記警報情報を通報する状態を示す外出警備モードから、在宅時において異常を検知した場合に前記警報情報の前記監視センタへの通報、もしくは在宅者に異常を検知したことの通知を可能にする状態を示す在宅警備モードに切替える警備モード切替手段と、を備えることを特徴とする。
【０００９】
また、請求項３にかかる発明は、請求項２に記載の警備装置において、前記操作者識別情報と、前記在宅警備モードにおいて異常を検知した場合に前記監視センタに前記警報情報を通報、もしくは監視領域にいる者に異常を検知したことを通知する対象となる領域である警備対象領域を示す警備領域情報とを対応付けて記憶する警備領域記憶手段と、前記警備モード切替手段によって前記在宅警備モードに切替えられた場合に、前記操作者判定手段によって判定された前記操作者識別情報に対応する前記警備対象領域を前記警備領域記憶手段から取得し、取得された前記警備対象領域に対して前記警備対象領域において異常を検知した場合に前記監視センタに前記警報情報を通報、もしくは監視領域にいる者に異常を検知したことを通知する状態を示す警備状態を設定し、前記警備対象領域以外の領域には前記警備対象領域において異常を検知した場合に前記警報情報を通報しない状態を示す警備解除状態を設定する警備状態設定手段と、をさらに備えることを特徴とする。
【００１０】
また、請求項４にかかる発明は、請求項２または請求項３に記載の警備装置において、前記警備状態設定手段は、さらに前記警備対象領域に前記警備状態を設定した後に、他の操作者が帰宅して前記警備対象領域に前記警備状態を設定する場合には、既に設定されている前記警備対象領域と新たに設定する前記警備対象領域において一致する前記警備対象領域のみに前記警備状態を設定し、一致しない前記警備対象領域には前記警備解除状態を設定すること、を特徴とする。
【００１１】
また、請求項５にかかる発明は、請求項２〜４のいずれか一つに記載の警備装置において、前記警備対象領域に対して前記警備状態または前記警備解除状態の入力を受付ける警備状態入力手段、をさらに備え、前記警備状態設定手段は、さらに前記警備状態入力手段によって入力された前記警備対象領域に対する前記警備状態または前記警備解除状態の設定について、前記操作者識別情報に対応する前記警備領域記憶手段に記憶された前記警備領域情報に基づいて設定される前記警備状態または前記警備解除状態の設定より優先すること、を特徴とする。
【００１２】
また、請求項６にかかる発明は、監視領域における異常を検知した場合に異常を検知した旨を示す警報情報をネットワークに接続された監視センタに送信する警備方法において、前記警備装置を操作する操作者を識別する操作者識別情報を記憶する操作者識別情報記憶手段と、前記操作者識別情報と、異常を検知した場合に前記監視センタに前記警報情報を通報する対象となる領域である警備対象領域を示す警備領域情報とを対応付けて記憶する警備領域記憶手段と、を備え、利用者を識別する利用者識別情報を記憶した携帯型情報記憶媒体から前記利用者識別情報を取得する利用者識別情報取得ステップと、前記識別情報取得ステップによって取得された前記利用者識別情報が、前記操作者識別情報記憶手段に記憶されている前記操作者識別情報と一致するか否かを判定する操作者判定ステップと、前記操作者判定ステップによって判定された前記操作者識別情報に対応する前記警備対象領域を前記警備領域記憶手段から取得し、取得された前記警備対象領域に対して前記警備対象領域において異常を検知した場合に前記監視センタに前記警報情報を通報、もしくは監視領域にいる者に異常を検知したことを通知する状態を示す警備状態を設定し、前記警備対象領域以外の領域には前記警備対象領域において異常を検知した場合に前記警報情報を通報しない、もしくは異常を検知したことの通知をしない状態を示す警備解除状態を設定する警備状態設定ステップと、を有することを特徴とする。
【００１３】
また、請求項７にかかる発明は、監視領域における異常を検知した場合に異常を検知した旨を示す警報情報をネットワークに接続された監視センタに送信する警備方法において、前記警備装置を操作する操作者を識別する操作者識別情報を記憶する操作者識別情報記憶手段、を備え、利用者を識別する利用者識別情報を記憶した携帯型情報記憶媒体から非接触によって前記利用者識別情報を取得する利用者識別情報取得ステップと、前記識別情報取得ステップによって取得された前記利用者識別情報が、前記識別情報記憶手段に記憶されている前記操作者識別情報と一致するか否かを判定する操作者判定ステップと、前記操作者判定ステップによって前記利用者識別情報と前記操作者識別情報が一致すると判定された場合に、不在時に異常を検知した場合に前記監視センタに前記警報情報を通報する状態を示す外出警備モードから、在宅時に異常を検知した場合に前記警報情報を前記監視センタに通報、もしくは在宅者に異常を検知したことの通知を可能にする状態を示す在宅警備モードに切替える警備モード切替ステップと、を有することを特徴とする。
【００１４】
また、請求項８にかかる発明は、請求項６または請求項７に記載された警備方法をコンピュータに実行させることを特徴とする。
【発明の効果】
【００１５】
請求項１にかかる発明によれば、利用者識別情報取得手段によって、利用者を識別する利用者識別情報を記憶した携帯型情報記憶媒体から利用者識別情報を取得し、操作者判定手段によって、利用者識別情報取得手段によって取得された利用者識別情報が、操作者識別情報記憶手段に記憶されている操作者識別情報と一致するか否かを判定し、警備状態設定手段によって、操作者判定手段によって判定された操作者識別情報に対応する警備対象領域を警備領域記憶手段から取得し、取得された警備対象領域に対して警備対象領域において異常を検知した場合に監視センタに警報情報を通報、もしくは監視領域にいる者に異常を検知したことを通知する状態を示す警備状態を設定し、警備対象領域以外の領域には警備対象領域において異常を検知した場合に警報情報を通報しない、もしくは異常を検知したことの通知をしない状態を示す警備解除状態を設定することにより、複雑な操作を行わずに警備対象領域ごとの警備状態の設定が行えるため、どのような利用者でも簡単な操作で警備状態の切替え行うことができ、誤報の発生を削減することができるという効果を奏する。
【００１６】
請求項２にかかる発明によれば、利用者識別情報取得手段によって、利用者を識別する利用者識別情報を記憶した携帯型情報記憶媒体から利用者識別情報を取得し、操作者判定手段によって、利用者識別情報取得手段によって取得された利用者識別情報が、操作者識別情報記憶手段に記憶されている操作者識別情報と一致するか否かを判定し、警備モード切替手段によって、操作者判定手段によって利用者識別情報と操作者識別情報が一致すると判定された場合に、不在時において異常を検知した場合に監視センタに警報情報を通報する状態を示す外出警備モードから、在宅時において異常を検知した場合に警報情報の監視センタへの通報、もしくは在宅者に異常を検知したことの通知を可能にする状態を示す在宅警備モードに切替えることにより、操作者は操作パネルを操作することなく、ＩＣタグをＩＣタグリーダの通信可能範囲に持ち込むだけで外出警備モードから在宅警備モードへの切替えを行うことができるため、外出警備モードから在宅警備モードへの切替え忘れを防止することができるという効果を奏する。
【００１７】
また、請求項３にかかる発明によれば、警備状態設定手段によって、警備モード切替手段によって在宅警備モードに切替えられた場合に、操作者判定手段によって判定された操作者識別情報に対応する警備対象領域を警備領域記憶手段から取得し、取得された警備対象領域に対して警備対象領域において異常を検知した場合に監視センタに警報情報を通報、もしくは監視領域にいる者に異常を検知したことを通知する状態を示す警備状態を設定し、警備対象領域以外の領域には警備対象領域において異常を検知した場合に警報情報を通報しない状態を示す警備解除状態を設定することにより、操作者ごとに操作パネルなどを操作することなく、警備状態を設定する警備対象領域を設定することができ、操作者の活動範囲において操作者を検知しても警報情報が送信されることがないため、誤報の発生を防止することができるという効果を奏する。
【００１８】
また、請求項４にかかる発明によれば、警備状態設定手段は、さらに警備対象領域に警備状態を設定した後に、他の操作者が帰宅して警備対象領域に警備状態を設定する場合には、既に設定されている警備対象領域と新たに設定する警備対象領域において一致する警備対象領域のみに警備状態を設定し、一致しない警備対象領域には警備解除状態を設定することにより、複数の操作者が次々と帰宅した場合であっても総ての操作者の活動範囲に警備解除状態を設定するため、操作者を検知した場合でも警報情報が送信されることはなく、誤報の発生を防止することができるという効果を奏する。
【００１９】
また、請求項５にかかる発明によれば、警備状態入力手段によって、警備対象領域に対して警備状態または警備解除状態の入力を受付け、警備状態設定手段は、さらに警備状態入力手段によって入力された警備対象領域に対する警備状態または警備解除状態の設定について、操作者識別情報に対応する警備領域記憶手段に記憶された警備領域情報に基づいて設定される警備状態または警備解除状態の設定より優先することにより、操作者が帰宅した際の状況に即した警備状態の設定を行うことができるため、操作者に煩雑な操作を要求せず利便性が高まるという効果を奏する。
【００２０】
また、請求項６にかかる発明によれば、利用者識別情報取得ステップによって、利用者を識別する利用者識別情報を記憶した携帯型情報記憶媒体から利用者識別情報を取得し、操作者判定ステップによって、識別情報取得ステップによって取得された利用者識別情報が、操作者識別情報記憶手段に記憶されている操作者識別情報と一致するか否かを判定し、警備状態設定ステップによって、前記操作者判定ステップによって判定された前記操作者識別情報に対応する前記警備対象領域を前記警備領域記憶手段から取得し、取得された前記警備対象領域に対して前記警備対象領域において異常を検知した場合に前記監視センタに前記警報情報を通報、もしくは監視領域にいる者に異常を検知したことを通知する状態を示す警備状態を設定し、前記警備対象領域以外の領域には前記警備対象領域において異常を検知した場合に前記警報情報を通報しない、もしくは異常を検知したことの通知をしない状態を示す警備解除状態を設定することにより、複雑な操作を行わずに警備対象領域ごとの警備状態の設定が行えるため、どのような利用者でも簡単な操作で警備状態の切替え行うことができ、誤報の発生を削減することができるという効果を奏する。
【００２１】
また、請求項７にかかる発明によれば、利用者識別情報取得ステップによって、利用者を識別する利用者識別情報を記憶した携帯型情報記憶媒体から非接触によって利用者識別情報を取得し、操作者判定ステップによって、識別情報取得ステップによって取得された利用者識別情報が、識別情報記憶手段に記憶されている操作者識別情報と一致するか否かを判定し、警備モード切替ステップによって、操作者判定ステップによって利用者識別情報と操作者識別情報が一致すると判定された場合に、不在時に異常を検知した場合に監視センタに警報情報を通報する状態を示す外出警備モードから、在宅時に異常を検知した場合に警報情報を監視センタに通報する、もしくは在宅者に異常を検知したことの通知を可能にする状態を示す在宅警備モードに切替えることにより、操作者は操作パネルを操作することなく、例えばＩＣタグなどのような携帯型情報記憶媒体をＩＣタグリーダ等の通信可能範囲に持ち込むだけで外出警備モードから在宅警備モードへの切替えを行うことができるため、操作者に煩雑な操作を要求することなく、利便性が高まるという効果を奏する。
【００２２】
また、請求項８にかかる発明によれば、請求項６または請求項７に記載された警備方法をコンピュータに実行させることにより、操作者は操作パネルを操作することなく、例えばＩＣタグなどの携帯型情報記憶媒体をＩＣタグリーダ等の通信可能範囲に持ち込むだけで外出警備モードから在宅警備モードへの切替えを行うことができるため、操作者に煩雑な操作を要求することなく、利便性が高まるという効果を奏する。
【発明を実施するための最良の形態】
【００２３】
以下に添付図面を参照して、この発明にかかる警備装置、警備方法、警備プログラムの最良な実施の形態を詳細に説明する。
【００２４】
本実施の形態について、添付図面を参照して説明する。本実施の形態にかかる警備装置警備方法、警備プログラムは、ＩＣタグから読取った利用者識別情報と操作者識別情報とを照合することによって外出警備モードから在宅警備モードへ切替えを行うとともに、操作者識別情報に対応して登録されている警備対象領域に警備状態情報を設定するものである。また、操作者によって入力された警備対象領域に対する警備状態情報を優先して設定するものである。
【００２５】
まず、本発明が適用される監視システムの構成例について説明する。図１は、本実施の形態にかかる監視システムの構成を示すブロック図である。警備装置１００と、ＩＣタグ２００と、監視センタ３００とから構成されており、警備装置１００と監視センタ３００とは電話回線、無線ネットワーク、インターネットなどのネットワーク４００を介して接続されている。
【００２６】
本実施の形態にかかる監視センタ３００は、警備装置１００から送信された警報情報を受信することによって、警備装置１００が設定されている警備区域を監視するものである。
【００２７】
本実施の形態にかかるＩＣタグ２００は、ＩＣタグ固有の情報、本実施の形態ではＩＣタグを所持する利用者を識別する利用者識別情報が記憶されている。利用者は、利用者ごとにＩＣタグ２００を所持している。ＩＣタグ２００は、本発明における携帯型情報記録媒体を構成する。なお、本実施の形態では、携帯型情報記憶媒体の例としてＩＣタグをあげる。この携帯型情報記憶媒体は、他に、磁気カード、暗証番号、生体認証、ＦｅｌｉＣａカード、ＦｅｌｉＣａ搭載携帯電話などであってもよい。
【００２８】
本実施の形態であげる、ＩＣタグ、ＩＣタグリーダとは、ＲＦＩＤ（Radio Frequency IDentification）技術を構成する要素である。ＲＦＩＤ技術とは、内部に電子的な情報を持つタグ（ＩＣタグ）が、読取装置（ＩＣタグリーダ）と電波でやり取りをすることで、タグに記録している情報を識別する仕組みである。
【００２９】
ＩＣタグ２００は、主にデータを格納するためのＩＣチップと無線を拾うためのアンテナから構成されている。電池が不要であるが通信距離が短いパッシブ方式のタグを用いても、電池が必要であるが数メートル単位の通信距離を制御できるアクティブ方式のタグを用いてもよい。
【００３０】
本実施の形態にかかる警備装置１００は、ＩＣタグリーダ１０１と、操作者判定部１０２と、警備モード切替部１０３と、警備状態設定部１０４と、操作者情報記憶部１０５と、警備モード記憶部１０６と、警備状態記憶部１０７と、警報送信部１０８と、異常検知部１０９と、警備状態入力部１１０と、センサ１１１と、在宅警備情報データベース１０００とから構成されている。
【００３１】
ＩＣタグリーダ１０１は、通信距離内に存在するＩＣタグ２００を認識し、非接触でＩＣタグ２００に記憶されている情報、すなわち本実施の形態においては利用者識別情報を読取るものである。ＩＣタグリーダ１０１は、本発明における利用者識別情報取得手段を構成している。なお、ＩＣタグリーダ１０１は、アンチコリジョン機能を実装したものを用いてもよい。アンチコリジョン機能とは、情報が衝突することなく複数のＩＣタグに記憶されている情報を一度に識別する機能をいう。かかる機能を用いることにより、同時に家人が帰宅した場合でも一度に利用者識別情報を取得することができる。
【００３２】
操作者判定部１０２は、ＩＣタグリーダ１０１によって取得された利用者識別情報と後述する在宅警備情報データベース１０００に記憶されている操作者識別情報とを照合して、ＩＣタグ２００を所持している利用者が警備装置１００を操作することができるものであるか否かを判定するものである。
【００３３】
警備モード切替部１０３は、操作者判定部１０２によってＩＣタグ２００を所持している者が警備装置１００を操作できるものであると判定された場合で、かつ、後述する警備モード記憶部１０６に記憶されている警備モードが外出警備モードである場合には、外出警備モードから在宅警備モードへの切替えを行うものである。また、切替えられた警備モードは、警備モード記憶部１０６に記憶する。
【００３４】
ここで、外出警備モードとは、家人が外出して警備区域内に誰もいない場合に設定する警備モードであり、警備区域内に設置されている後述するセンサ１１１が異常を検知した場合には、警報情報を監視センタ３００に送信するものである。
【００３５】
一方、在宅警備モードとは、家人が帰宅して警備区域内に家人が存在する場合に設定する警備モードである。在宅警備モードは、家人が既に帰宅していることから、警備区域内の総ての領域についてセンサ１１１が異常を検知した場合に警報情報を監視センタ３００に送信するものではなく、警備区域をさらに細かく区分した警備対象領域において警備状態が設定され、センサ１１１が異常を検知した場合に監視センタ３００に警報情報を送信するモードである。
【００３６】
また、在宅警備モードにおける警備状態とは、センサ１１１が異常を検知した場合に監視センタ３００に警報情報を送信する状態をいい、警備解除状態とは、センサ１１１が異常を検知しても監視センタ３００に警報情報を送信しない状態をいう。
【００３７】
ここで、警備対象領域とは、例えば、居間、和室などの各部屋や各部屋を結ぶ廊下などのセンサが設置されて異常を検知することができる領域をいう。
【００３８】
なお、在宅警備モードにおける警備状態は、センサ１１１が異常を検知した場合には警備装置１００から警告音を出し在宅者に知らせる状態とし、警備解除状態は、センサ１１１が異常を検知しても、警備装置１００から警告音を出さない状態としてもよい。
【００３９】
警備解除モードとは、警備区域内のいずれのセンサ１１１が異常を検知しても、監視センタ３００に警報情報を送信しない状態をいう。なお、外出警備モード、在宅警備モードおよび警備解除モードは、図示しない操作パネルからなる警備モード設定部などを操作者が操作することによって切替えることができる。
【００４０】
在宅警備情報データベース１０００は、警備装置を操作する操作者ごとに警備状態を設定する警備対象領域を示す警備領域情報を規定する。図２は、在宅警備情報データベースのデータ構成の一例を示す説明図である。在宅警備情報データベース１０００は、操作者識別情報と、警備領域情報とを対応付けて記憶している。在宅警備情報データベース１０００は、本発明における操作者識別情報記憶手段、および、警備領域記憶手段を構成するものである。
【００４１】
ここで、警備領域情報とは、操作者ごとに記憶された警備状態を設定する警備対象領域をいい、例えば、図２において操作者識別情報“０００１”に対応する警備領域情報は、“勝手口、玄関、浴室、和室”である。
【００４２】
警備状態設定部１０４は、操作者判定部１０２によってＩＣタグリーダ１０１で取得された利用者識別情報が在宅警備情報データベース１０００に記憶されている操作者識別情報であると判断された場合に、在宅警備情報データベース１０００から当該操作者識別情報に対応する警備領域情報を取得するものである。さらに、在宅警備情報データベース１０００から取得した警備領域情報に対応する警備対象領域について警備状態情報を“警備状態”として後述する警備状態記憶部１０７に格納するものである。ここで、警備状態情報とは、警備対象領域ごとに設定される警備状態または警備解除状態を総称した情報をいう。
【００４３】
操作者情報記憶部１０５は、操作者判定部１０２によってＩＣタグリーダ１０１で取得された利用者識別情報が操作者識別情報であると判断された場合に、操作者を示す操作者識別情報を記憶するものである。警備モード記憶部１０６は、現在の警備モードを記憶するものである。具体的には、外出警備モード、在宅警備モード、警備解除モードが記憶される。
【００４４】
警備状態記憶部１０７は、警備状態設定部１０４によって設定された警備対象領域ごとの警備状態情報および設定種別情報を記憶するものである。図３は、警備状態記憶部が記憶している警備状態情報のデータ構成の一例を示す説明図である。例えば、警備領域情報“玄関”には、警備状態情報として“警備状態”が記憶されている。これによって、在宅警備モードの場合において、玄関に設置されているセンサが異常を検知した場合には監視センタ３００に警報情報を送信することになる。
【００４５】
警報送信部１０８は、警備モード記憶部１０６に記憶されている警備モードが在宅警備モードであり、かつ、警備状態記憶部１０７に記憶されている“警備状態”が設定されている警備対象領域において異常検知部１０９が異常を検知した場合に、監視センタ３００に警報情報を送信するものである。また、警備モード記憶部１０６に記憶されている警備モードが外出警備モードであり、かつ、異常検知部１０９が異常を検知した場合にも、警報情報を監視センタ３００に送信する。
【００４６】
異常検知部１０９は、センサ１１１が検知した信号の入力を受付け、監視領域内での異常を検知するものである。警備状態入力部１１０は、警備対象領域に対する警備状態情報の入力を受付けるものである。
【００４７】
センサ１１１は、人感センサであり、例えば、赤外線の受光量の変化をもとに人を検知する赤外線センサ、赤外線などが遮られることで人を検知する遮断センサ、電磁波の乱れで人を検知する気配センサ、およびマグネットにより扉の開閉を検知するマグネットセンサなどの警備対象領域の異常を検知する各種センサである。
【００４８】
次に、以上のように構成されている警備装置による警備モード設定処理について説明する。図４−１、図４−２、図４−３は、ＩＣタグリーダ、操作者判定部、警備状態切替部、警備状態設定部が行う警備モード設定処理手順を示すフローチャートである。
【００４９】
まず、ＩＣタグリーダ１０１は、利用者識別情報の入力を受付けたか否かを判断する（ステップＳ４００１）。具体的には、家人がＩＣタグ２００を所持して帰宅し、ＩＣタグリーダ１０１の通信距離以内に入った場合に、ＩＣタグ２００に記憶されている利用者識別情報をＩＣタグリーダ１０１が受信することとなる。
【００５０】
操作者判定部１０２は、在宅警備情報データベース１０００から操作者識別情報を取得する（ステップＳ４００２）。操作者判定部１０２は、ＩＣタグリーダ１０１が取得した利用者識別情報と在宅警備情報データベース１０００から取得した操作者識別情報が一致するか否かを判断する（ステップＳ４００３）。
【００５１】
ＩＣタグリーダ１０１が取得した利用者識別情報と在宅警備情報データベース１０００から取得した操作者識別情報が一致しないと判断した場合には（ステップＳ４００３：Ｎｏ）、処理を終了する。ＩＣタグリーダ１０１が取得した利用者識別情報と在宅警備情報データベース１０００から取得した操作者識別情報が一致したと判断した場合には（ステップＳ４００３：Ｙｅｓ）、警備モード切替部１０３は警備モード記憶部１０６から現在の警備モードを取得する（ステップＳ４００４）。
【００５２】
警備モード切替部１０３は、現在の警備モードが外出警備モードか否かを判断する（ステップＳ４００５）。現在の警備モードが外出警備モードであると判断した場合には（ステップＳ４００５：Ｙｅｓ）、警備モード切替部１０３は警備モードを外出警備モードから在宅警備モードに切替え（ステップＳ４００６）、警備モード記憶部１０６に在宅警備モードを格納する（ステップＳ４００７）。
【００５３】
警備状態設定部１０４は、ＩＣタグリーダ１０１によって取得された操作者識別情報に対応する警備領域情報を在宅警備情報データベース１０００から取得する（ステップＳ４００８）。例えば、図３を参照して説明すると、操作者識別情報が“０００１”の家人の場合、警備状態を設定するのは、“勝手口、玄関、浴室、和室”の４箇所となる。
【００５４】
警備状態設定部１０４は、総ての警備対象領域に警備解除状態を設定する（ステップＳ４００９）。次に、警備状態設定部１０４は、取得された警備領域情報、すなわち警備対象領域に対して警備状態を設定し、総ての警備対象領域に対する警備状態情報と設定種別情報を警備状態記憶部１０７に格納する（ステップＳ４０１０）。上述の例では、“勝手口、玄関、浴室、和室”の４箇所に警備状態情報として“警備状態”が設定される。警備状態設定部１０４は、操作者情報記憶部１０５に操作者識別情報を格納する（ステップＳ４０１１）。
【００５５】
このように、家人は警備装置１００に対して操作パネルなどを操作することなく、警備モードの設定を行うことができ、警備を行う領域と警備を行わない領域を設定することができるため、警備モードの設定忘れを防止することができるとともに、家人ごとの活動範囲に合わせた警備状態の設定ができ、誤報の発生を防止することができる。
【００５６】
ステップＳ４００５において、現在の警備モードが外出警備モードであると判断した場合には（ステップＳ４００５：Ｙｅｓ）、警備モード切替部１０３は現在の警備モードが在宅警備モードであるか否かを判断する（ステップＳ４０１２）。警備モード切替部１０３は現在の警備モードが在宅警備モードでないと判断した場合には（ステップＳ４０１２：Ｎｏ）、すなわち現在の警備モードが警備解除モードである場合には処理を終了する。
【００５７】
現在の警備モードが在宅警備モードであると判断した場合には（ステップＳ４０１２：Ｙｅｓ）、警備モード切替部１０３は操作者情報記憶部１０５から操作者識別情報を取得する（ステップＳ４０１３）。警備モード切替部１０３は、取得された操作者識別情報と操作者情報記憶部１０５に格納されている操作者識別情報が一致するか否かを判断する（ステップＳ４０１４）。
【００５８】
取得された操作者識別情報と操作者情報記憶部１０５に格納されている操作者識別情報が一致しないと判断した場合（ステップＳ４０１４：Ｎｏ）、すなわち他の家人が帰宅した場合は、警備状態設定部１０４は操作者識別情報に対応する警備領域情報を在宅警備情報データベース１０００から取得する（ステップＳ４０１５）。さらに、警備状態記憶部１０７から警備対象領域ごとの警備状態情報および設定種別情報を取得する（ステップＳ４０１６）。
【００５９】
警備状態設定部１０４は、設定種別情報が“自動”で、かつ、“警備状態”が設定されている警備対象領域と操作者識別情報に対応する警備領域情報に含まれる警備対象領域とにおいて一致しない警備対象領域に、“警備解除情報”を設定し、警備状態記憶部１０７に格納する（ステップＳ４０１７）。警備状態設定部１０４は、操作者情報記憶部１０５に操作者識別情報を格納する（ステップＳ４０１８）。
【００６０】
このように、家人ごとに警備状態を設定する警備対象領域が異なっていたとしても、在宅している家人が活動する警備対象領域には警備状態が設定されないので、帰宅した家人は特に警備装置を操作することなく通常の活動を行うことができる。また、通常の活動範囲には警備状態が設定されていないため、家人を検知しても誤報が送信されることはなく、誤報の発生を防止することができる。
【００６１】
ステップＳ４０１４において、取得された操作者識別情報と操作者情報記憶部１０５に格納されている操作者識別情報が一致すると判断した場合には（ステップＳ４０１４：Ｙｅｓ）、警備状態設定部１０４は総ての警備対象領域に対して“警備解除状態”を設定し、警備状態記憶部１０７に格納する（ステップＳ４０１９）。警備状態設定部１０４は、操作者情報記憶部１０５に操作者識別情報を格納する（ステップＳ４０２０）。
【００６２】
このように、操作者がＩＣタグに記憶されている操作者識別情報を２度取得させることによって、簡易な操作で総ての警備対象領域についての“警備状態”を解除することができ、誤報の発生を防止することができる。
【００６３】
次に、警備装置１００による警備状態入力処理について説明する。図５は、警備状態入力部、警備状態設定部が行う警備状態入力処理手順を示すフローチャートである。
【００６４】
まず、警備状態入力部１１０は、警備対象領域ごとの警備状態情報の入力を受付ける（ステップＳ５００１）。例えば、操作パネルなどから警備対象領域“キッチン”に対する警備状態情報として“警備状態”を入力する。警備状態設定部１０４は、警備状態記憶部１０７に入力された警備対象領域に対する警備状態情報、設定種別を格納する（ステップＳ５００２）。具体的には、警備状態記憶部１０７に警備対象情報として“キッチン”、警備状態情報として“警備状態”、設定種別として“入力”が格納される。なお、警備状態情報として“警備解除状態”が入力された場合にでも、警備状態記憶部１０７に警備対象情報として“キッチン”、警備状態情報として“警備解除状態”、設定種別として“入力”が格納される。
【００６５】
これにより、警備対象領域に対する警備状態情報をどのような方法で設定したかが判別できるため、操作者が自ら入力した警備状態情報をＩＣタグから操作者識別情報を取得して自動的に設定した警備状態情報より優先させて保持することができ、ＩＣタグを用いた設定のみでなく、そのときの状況に合わせた設定を行うことができる。
【００６６】
次に、具体的な例を用いて説明する。図６は、警備区域において外出警備モードでの警備対象領域の警備状態の一例を示す説明図である。外出警備モードが設定されている場合では、警備区域内に家人が存在しないため、総ての警備対象領域が警備状態、すなわちどのセンサが異常を検知しても監視センタに警報情報が送信されることになる。
【００６７】
まず、第１の具体例では、操作者識別情報“０００１”の家人が帰宅した場合を考える。家人は利用者識別情報“０００１”が記憶されたＩＣタグを所持しているため、ＩＣタグリーダ１０１は家人が所持するＩＣタグの利用者識別情報の入力を受付ける（ステップＳ４００１）。在宅警備情報データベース１０００から操作者識別情報を取得し（ステップＳ４００２）、利用者識別情報と一致するか否かを判断する（ステップＳ４００３）。利用者識別情報“０００１”と操作者識別情報“０００１”が一致すると判断される（ステップＳ４００３：Ｙｅｓ）。
【００６８】
次に、警備モード記憶部１０６から警備モードを取得し（ステップＳ４００４）、現在の警備モードは外出警備モードであると判断し（ステップＳ４００５：Ｙｅｓ）、警備モードを外出警備モードから在宅警備モードに切替え（ステップＳ４００６）、警備モード記憶部１０６に在宅警備モードを格納する（ステップＳ４００７）。
【００６９】
さらに、在宅警備情報データベース１０００から操作者識別情報“０００１”に対応する警備領域情報を取得する（ステップＳ４００８）。具体的には、警備領域情報として“勝手口、玄関、浴室、和室”の警備対象領域が取得される。まず、総ての警備対象領域に対して警備状態情報として“警備解除情報”を設定し（ステップＳ４００９）、次に警備領域情報として取得された警備対象領域に警備状態情報として“警備状態”を設定し、設定された警備対象領域ごとの警備状態情報を警備状態記憶部１０７に格納する（ステップＳ４０１０）。操作者識別情報“０００１”を操作者情報記憶部１０５に格納する（ステップＳ４０１１）。
【００７０】
図７は、在宅警備モードにおいて、警備状態情報として“警備状態”が設定されている警備対象領域と警備状態情報として“警備解除状態”が設定されている警備対象領域の一例を示す説明図である。上述のように、操作者識別情報“０００１”の警備領域情報として設定されていた“勝手口、玄関、浴室、和室”は“警備状態”であり、他の警備対象領域は“警備解除状態”が設定されている。
【００７１】
第２の具体例として、利用者識別情報“０００２”のＩＣタグを所持している家人が帰宅した場合の処理について説明する。家人は利用者識別情報“０００２”が記憶されたＩＣタグを所持しているため、ＩＣタグリーダ１０１は家人が所持するＩＣタグの利用者識別情報の入力を受付ける（ステップＳ４００１）。在宅警備情報データベース１０００から操作者識別情報を取得し（ステップＳ４００２）、利用者識別情報と一致するか否かを判断する（ステップＳ４００３）。利用者識別情報“０００２”と操作者識別情報“０００２”が一致すると判断される（ステップＳ４００３：Ｙｅｓ）。
【００７２】
警備モード記憶部１０６から警備モードを取得し（ステップＳ４００４）、現在の警備モードは外出警備モードでないと判断する（ステップＳ４００５：Ｎｏ）。さらに、現在の警備モードは在宅警備モードであると判断する（ステップＳ４０１２：Ｙｅｓ）。これにより、利用者識別情報“０００２”のＩＣタグを所持している家人の前に、他の家人が帰宅していることが判断できる。
【００７３】
操作者情報記憶部１０５から操作者識別情報を取得し（ステップＳ４０１３）、ＩＣタグリーダ１０１から取得された操作者識別情報“０００２”と操作者情報記憶部１０５から取得された操作者識別情報“０００１”とが一致しないと判断する（ステップＳ４０１４：Ｎｏ）。在宅警備情報データベース１０００から操作者識別情報“０００２”に対応する警備領域情報を取得する（ステップＳ４０１５）。この場合は、警備領域情報として記憶されている“勝手口、玄関、浴室”が取得される。
【００７４】
警備状態記憶部１０７から現在の警備対象領域ごとの警備状態情報および設定状態情報を取得する（ステップＳ４０１６）。具体的には、“勝手口”、“玄関”、“浴室”、“和室”は“警備状態”であり、他の警備対象領域は“警備解除状態”が取得される。また、設定種別情報は、総て“自動”が取得される。設定種別情報が“自動”で、かつ、操作者識別情報“０００２”に対応する警備領域情報に設定されている警備対象領域と現在“警備状態”が設定されている警備対象領域とにおいて一致しない警備対象領域に“警備解除状態”を設定し、設定された警備状態情報を警備状態記憶部１０７に格納する（ステップＳ４０１７）。具体的には、設定種別情報が“自動”で、かつ、一致しない警備対象領域は“和室”であるため、“和室”の警備状態情報に“警備解除状態”を設定し、警備状態記憶部１０７に格納する。
【００７５】
図８は、在宅警備モードにおいて、警備状態情報として“警備状態”が設定されている警備対象領域と警備状態情報として“警備解除状態”が設定されている警備対象領域の一例を示す説明図である。上述のように、警備状態記憶部１０７に記憶されている“警備状態”である警備対象領域と操作者識別情報“０００２”の警備領域情報として設定されていた警備対象領域で一致する警備対象領域である“勝手口、玄関、浴室”は“警備状態”であり、一致しない警備対象領域である“和室”は“警備解除状態”が設定されている。
【００７６】
これにより、例えば、操作者識別情報“０００１”が子供であって和室を出入することがなく操作者識別情報“０００１”が帰宅して在宅警備モードが設定された場合に“和室”には“警備状態”が設定される。その後、和室を自分の部屋としているお年寄りである操作者識別情報“０００２”の家人が帰宅した際には、双方が活動する範囲である“勝手口、玄関、浴室、和室”は“警備解除状態”が設定されることになる。よって、誤報の発生を防止できるとともに、活動範囲以外の領域については“警備状態”が設定されているため、侵入者に対する警備が可能である。
【００７７】
さらに、第３の具体例として、既に帰宅している家人が再度利用者識別情報を取得された場合の処理について説明する。家人は利用者識別情報“０００１”が記憶されたＩＣタグを所持して再度通信距離以内に入った場合、ＩＣタグリーダ１０１は家人が所持するＩＣタグの利用者識別情報の入力を受付ける（ステップＳ４００１）。在宅警備情報データベース１０００から操作者識別情報を取得し（ステップＳ４００２）、利用者識別情報と一致するか否かを判断する（ステップＳ４００３）。利用者識別情報“０００１”と操作者識別情報“０００１”が一致すると判断される（ステップＳ４００３：Ｙｅｓ）。次に、警備モード記憶部１０６から警備モードを取得し（ステップＳ４００４）、現在の警備モードは外出警備モードでないと判断する（ステップＳ４００５：Ｎｏ）。さらに、現在の警備モードは在宅警備モードであると判断する（ステップＳ４０１２：Ｙｅｓ）。
【００７８】
操作者情報記憶部１０５から操作者識別情報を取得し（ステップＳ４０１３）、ＩＣタグリーダ１０１から取得された操作者識別情報“０００１”と操作者情報記憶部１０５から取得された操作者識別情報“０００１”とが一致すると判断する（ステップＳ４０１４：Ｙｅｓ）。すなわち、取得した操作者識別情報が既に取得された操作者識別情報であると判断できる。総ての警備対象領域に対して“警備解除状態”を設定し、警備状態記憶部１０７に警備状態情報を格納する（ステップＳ４０１９）。操作者情報記憶部１０５に操作者識別情報“０００１”を格納する（ステップＳ４０２０）。
【００７９】
図９は、在宅警備モードにおいて、総ての警備対象領域に警備状態情報として“警備解除状態”が設定した例を示す説明図である。上述のように、利用者識別情報を再度取得することにより、総ての警備対象領域に警備状態情報として“警備解除状態”を設定している。このように、簡単な操作で警備解除できるため、誤報の発生を防止できる。
【００８０】
最後に、第４の具体例として、家人が操作パネルなどから警備対象領域に対する警備状態情報を入力した場合の処理について説明する。まず、操作者識別情報“０００１”の家人が帰宅し、ＩＣタグリーダ１０１によって操作者識別情報が取得されると、上述の図７で示すように警備状態が設定される。次に操作者が警備対象領域に対してさらに、警備状態情報を入力すると、入力した警備対象領域に対する警備状態情報の入力を受付ける（ステップＳ５００１）。具体的には、警備対象領域“キッチン”に対する警備状態情報として“警備状態”の入力を受付ける。次に、入力された警備対象領域“キッチン”、警備状態情報“警備状態”、設定種別“入力”を警備状態記憶部１０７に格納する（ステップＳ５００２）。
【００８１】
次に、操作者識別情報“０００２”の家人が帰宅すると、家人は利用者識別情報“０００２”が記憶されたＩＣタグを所持し、ＩＣタグリーダ１０１は家人が所持するＩＣタグの利用者識別情報の入力を受付ける（ステップＳ４００１）。在宅警備情報データベース１０００から操作者識別情報を取得し（ステップＳ４００２）、利用者識別情報と一致するか否かを判断する（ステップＳ４００３）。利用者識別情報“０００２”と操作者識別情報“０００２”が一致すると判断される（ステップＳ４００３：Ｙｅｓ）。
【００８２】
警備モード記憶部１０６から警備モードを取得し（ステップＳ４００４）、現在の警備モードは外出警備モードでないと判断する（ステップＳ４００５：Ｎｏ）。さらに、現在の警備モードは在宅警備モードであると判断する（ステップＳ４０１２：Ｙｅｓ）。操作者情報記憶部１０５から操作者識別情報を取得し（ステップＳ４０１３）、ＩＣタグリーダ１０１から取得された操作者識別情報“０００２”と操作者情報記憶部１０５から取得された操作者識別情報“０００１”とが一致しないと判断する（ステップＳ４０１４：Ｎｏ）。在宅警備情報データベース１０００から操作者識別情報“０００２”に対応する警備領域情報を取得する（ステップＳ４０１５）。この場合は、警備領域情報として記憶されている“勝手口、玄関、浴室”が取得される。
【００８３】
警備状態記憶部１０７から現在の警備対象領域ごとの警備状態情報および設定種別情報を取得する（ステップＳ４０１６）。具体的には、図３に示すように、警備対象領域“勝手口”、“玄関”、“浴室”、“和室”は警備状態情報が“警備状態”、設定種別情報が“自動”であり、警備対象領域“キッチン”は警備状態情報が“警備状態”、設定種別情報が“入力”である。また、他の警備対象領域は警備状態情報が“警備解除状態”、設定種別情報が“自動”である。
【００８４】
設定種別情報が“自動”であり、かつ、操作者識別情報“０００２”に対応する警備領域情報に設定されている警備対象領域と現在“警備状態”が設定されている警備対象領域とにおいて一致しない警備対象領域に“警備解除状態”を設定し、設定された警備状態情報を警備状態記憶部１０７に格納する（ステップＳ４０１７）。具体的には、共通しない警備対象領域は“和室”であるため、“和室”の警備状態情報は“警備解除状態”を設定し、警備状態記憶部１０７に格納する。
【００８５】
図１０は、在宅警備モードにおいて、警備状態情報として“警備状態”が設定されている警備対象領域と警備状態情報として“警備解除状態”が設定されている警備対象領域の一例を示す説明図である。上述のように、入力によって警備状態情報を“警備状態”と入力された警備対象領域“キッチン”は、在宅警備情報データベース１０００で操作者識別情報“０００２”の警備状態を設定する警備対象領域として格納されていない場合であっても、優先され“警備状態”が設定されている。
【００８６】
これにより、例えば、操作者識別情報“０００１”が“キッチン”を警備したい場合には、他の家人が帰宅した場合でも、入力した設定が優先され、入力した警備対象領域での侵入者に対する警備が可能である。
【００８７】
なお、本実施の形態の警備装置で実行される警備プログラムは、ＲＯＭ等に予め組み込まれて提供される。
【００８８】
本実施の形態の警備装置で実行される警備プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００８９】
さらに、本実施の形態の警備装置で実行される警備プログラムを、インターネット等のネットワークに接続されたコンピュータ上に格納し、ネットワーク経由でダウンロードさせることにより提供するように構成してもよい。また、本実施の形態の警備装置で実行される警備プログラムをインターネット等のネットワーク経由で提供または配布するように構成してもよい。
【００９０】
本実施の形態の警備装置で実行される警備プログラムは、上述した各部（操作者判定部、警備モード切替部、警備状態設定部、警備状態入力部など）を含むモジュール構成となっており、実際のハードウェアとしてはＣＰＵ（プロセッサ）が上記ＲＯＭ等から警備プログラムを読み出して実行することにより上記各部が主記憶装置上にロードされ、操作者判定部、警備モード切替部、警備状態設定部、警備状態入力部などが主記憶装置上に生成されるようになっている。
【図面の簡単な説明】
【００９１】
【図１】本実施の形態にかかる監視システムの構成を示すブロック図である。
【図２】在宅警備情報データベースのデータ構成の一例を示す説明図である。
【図３】警備状態記憶部が記憶している警備対象領域情報、警備状態情報および設定種別情報のデータ構成の一例を示す説明図である。
【図４−１】ＩＣタグリーダ、操作者判定部、警備モード切替部、警備状態設定部、が行う警備モード設定処理手順を示すフローチャートである。
【図４−２】ＩＣタグリーダ、操作者判定部、警備モード切替部、警備状態設定部、が行う警備モード設定処理手順を示すフローチャートである。
【図４−３】ＩＣタグリーダ、操作者判定部、警備モード切替部、警備状態設定部、が行う警備モード設定処理手順を示すフローチャートである。
【図５】警備状態入力部、警備状態設定部が行う警備状態入力処理手順を示すフローチャートである。
【図６】警備区域において外出警備モードでの警備対象領域の警備状態の一例を示す説明図である。
【図７】在宅警備モードにおいて、警備状態情報として“警備状態”が設定されている警備対象領域と警備状態情報として“警備解除状態”が設定されている警備対象領域の一例を示す説明図である。
【図８】在宅警備モードにおいて、警備状態情報として“警備状態”が設定されている警備対象領域と警備状態情報として“警備解除状態”が設定されている警備対象領域の一例を示す説明図である。
【図９】在宅警備モードにおいて、総ての警備対象領域に警備状態情報として“警備解除状態”が設定した例を示す説明図である。
【図１０】在宅警備モードにおいて、警備状態情報として“警備状態”が設定されている警備対象領域と警備状態情報として“警備解除状態”が設定されている警備対象領域の一例を示す説明図である。
【符号の説明】
【００９２】
１０  監視システム
１００  警備装置
１０１  ＩＣタグリーダ
１０２  操作者判定部
１０３  警備モード切替部
１０４  警備状態設定部
１０５  操作者情報記憶部
１０６  警備モード記憶部
１０７  警備状態記憶部
１０８  警報送信部
１０９  異常検知部
１１０  警備状態入力部
２００  ＩＣタグ
３００  監視センタ
４００  ネットワーク
【図１】
2006285698.tif 000003
【図２】
2006285698.tif 000004
【図３】
2006285698.tif 000005
【図４−１】
2006285698.tif 000006
【図４−２】
2006285698.tif 000007
【図４−３】
2006285698.tif 000008
【図５】
2006285698.tif 000009
【図６】
2006285698.tif 000010
【図７】
2006285698.tif 000011
【図８】
2006285698.tif 000012
【図９】
2006285698.tif 000013
【図１０】
2006285698.tif 000014